(57)【要約】      （修正有）【課題】より確実に保護しつつ、より容易に着脱可能で、衝突した場合でもより破損しにくい、携帯用通信端末装置に装着するケースを提供する。【解決手段】リング取り付け溝５２−１〜５２−４が、通信端末装置の側面の前面側、および後面側をそれぞれ囲うケースの前面部３１および後面部３２の四隅の角に、隣接する２つの側面に４５度で交差する向きにそれぞれ形成されている。また、リング３３−１〜３３−４が、リング取り付け溝５２−１〜５２−４に嵌められて、ケースの前面部３１および後面部３２の四隅を締め付ける。リング取り付け溝は、それぞれ、嵌められたリングがずれないように、リングの太さに応じた幅および深さに形成され、前面、側面および後面を一周する形状とされている。【選択図】図２
0003196357.tif 000002
【実用新案登録請求の範囲】
【請求項１】
四角形の平板状の携帯用の通信端末装置の側面を囲う、外縁が四角形の平板状となるケースにおいて、
前記通信端末装置の側面の前面側を囲い、それぞれの四隅に、それぞれの四隅において隣接する２つの側面に交差する向きの第１の溝が形成されている前面部と、
前記通信端末装置の側面の後面側を囲い、それぞれの四隅に、それぞれの四隅において隣接する２つの側面に交差する向きであって、前記前面部の前記第１の溝と前後方向において重なる位置に第２の溝が形成されている後面部と、
弾性を有し、それぞれの四隅において、前記前面部の前記第１の溝および前記後面部の前記第２の溝に嵌められて、四隅をそれぞれ締め付けるリングと
からなるケース。
【請求項２】
請求項１に記載のケースにおいて、
それぞれの四隅において、前記第１の溝および前記第２の溝は、前記前面部が前記通信端末装置の前面に装着され、前記後面部が前記通信端末装置の後面に装着されたとき、１つの円環状の溝となる
ケース。
【請求項３】
請求項１に記載のケースにおいて、
前記第１の溝および前記第２の溝は、前面側および後面側において、前記リングの太さより浅く形成され、側面側において、前記リングの太さより深く形成されている
ケース。
【請求項４】
請求項１に記載のケースにおいて、
それぞれの四隅において、前記第１の溝および前記第２の溝は、隣接する２つの側面に４５度で交差する向きに形成されている
ケース。
【請求項５】
請求項１に記載のケースにおいて、
前記前面部および前記後面部の四隅のそれぞれの角には、前記第１の溝および前記第２の溝を通る平面に平行な面が形成されている
ケース。
【請求項６】
請求項１に記載のケースにおいて、
前記リングが、オーリングである
ケース。
【請求項７】
請求項１に記載のケースにおいて、
前記前面部の四隅の部分のうちの前記後面部と接する部分には、それぞれ、凸部が形成され、
前記後面部の四隅の部分のうちの前記前面部と接する部分には、それぞれ、前記凸部と嵌合する凹部が形成されている
ケース。
【請求項８】
請求項７に記載のケースにおいて、
前記凸部および前記凹部は、前記第１の溝および前記第２の溝と前後方向において重なる位置に形成されている
ケース。
【考案の詳細な説明】
【技術分野】
【０００１】
本考案はケースに関し、特に、携帯用の通信端末装置に装着するケースに関する。
【背景技術】
【０００２】
１枚の板状の形状とされ、１つの面に表示装置を設けた、いわゆるスマートフォンやタブレット型コンピュータなどの携帯用の通信端末装置が用いられている。このような携帯用の通信端末装置には、購入後にユーザがケースを装着することも多い。通信端末装置の裏側から装着し、表側に爪状または側面の縁に沿って伸びる線状の突起で係止するケースや、２つのパーツをネジ止めして装着するケースが使われている。
【０００３】
従来、上側保護部材のうちの左、右側部位の内面部の溝部を、携帯用端末機器の左右の凸部に嵌めて、この携帯用端末機器の上半分に装着し、また、下側保護部材のうちの左、右側部位の内面部の溝部を、携帯用端末機器の左右の凸部に嵌めて、この携帯用端末機器の下半分に装着し、上側保護部材の左、右側部位の端面部を、下側保護部材の左、右側部位の端面部に当接させるようにした携帯用機器の保護装置がある（例えば、特許文献１参照）。
【先行技術文献】
【特許文献】
【０００４】
【特許文献１】特開平９−３２１８４７号公報
【考案の概要】
【考案が解決しようとする課題】
【０００５】
しかしながら、通信端末装置の裏側から装着して表側に突起で係止するケースは、落として床などに衝突した場合、衝撃で外れてしまい、通信端末装置を保護できないこともある。
【０００６】
また、２つのパーツをネジ止めして装着するケースの場合、小さなネジを用いる必要があり、先端および軸の細いドライバを使用する必要があり、そのような作業に慣れていないユーザにとっては、このようなネジを止めることは、比較的困難であり、面倒である。また、通信端末装置からケースを取り外す場合も、同様に面倒な作業が必要になる。
【０００７】
また、より強固に機械的に通信端末装置を挟み込む機構を採用することも考えられるが、携帯性の観点から、機構を大きくすることには制約があるので、強度を保つことができず、床などに衝突した場合、破損してしまう恐れが大きい。複雑な機構を採用した場合も同様である。
【０００８】
本考案は、このような状況に鑑みてなされたものであり、より確実に保護しつつ、より容易に着脱可能とし、衝突した場合でもより破損しにくくできるようにするものである。
【課題を解決するための手段】
【０００９】
本考案の一側面のケースは、四角形の平板状の携帯用の通信端末装置の側面を囲う、外縁が四角形の平板状となるケースであって、通信端末装置の側面の前面側を囲い、それぞれの四隅に、それぞれの四隅において隣接する２つの側面に交差する向きの第１の溝が形成されている前面部と、通信端末装置の側面の後面側を囲い、それぞれの四隅に、それぞれの四隅において隣接する２つの側面に交差する向きであって、前面部の第１の溝と前後方向において重なる位置に第２の溝が形成されている後面部と、弾性を有し、それぞれの四隅において、前面部の第１の溝および後面部の第２の溝に嵌められて、四隅をそれぞれ締め付けるリングとからなる。
【００１０】
それぞれの四隅に形成されている第１の溝および第２の溝に、弾性を有するリングが嵌められて、締め付けられるので、落として床などに衝突した場合でも、衝撃で第１の溝および第２の溝からリングが外れることがない。また、リングを簡単に取り付けし、取り外しできるので、通信端末装置にケースをより容易に着脱できる。さらに、簡単な構成で強度を保つことができ、また、リングが弾性を有するので、衝撃をある程度吸収し、衝突した場合でもより破損しにくくできる。
【００１１】
それぞれの四隅において、第１の溝および第２の溝を、前面部が通信端末装置の前面に装着され、後面部が通信端末装置の後面に装着されたとき、１つの円環状の溝となるようにすることができる。これにより、衝撃で第１の溝および第２の溝からリングがより外れにくくなる。
【００１２】
第１の溝および第２の溝を、前面側および後面側において、リングの太さより浅く形成し、側面側において、リングの太さより深く形成することができる。このようにすることで、前面側および後面側のリングの部分に爪がかけ易くなり、より容易にリングを取り外すことができる。また、側面側においてリングが深く嵌ることになるので、衝撃で第１の溝および第２の溝からリングがより外れにくくなる。さらに、前面側の面および後面側の面からリングの部分が前側または後側に突出するので、机などの上面に置いた場合、通信端末装置の表示部やケースへの傷つきを防止できる。
【００１３】
それぞれの四隅において、第１の溝および第２の溝を、隣接する２つの側面に４５度で交差する向きに形成することができる。この場合、より均等に四隅のそれぞれを締め付けることができる。
【００１４】
前面部および後面部の四隅のそれぞれの角には、第１の溝および第２の溝を通る平面に平行な面を形成することができる。このようにすることで、四隅のいずれかの面に指をかけて、リングを四隅のいずれかの面に沿わせて滑らせながら、第１の溝および第２の溝にリングを着脱できるので、より容易に着脱可能となる。
【００１５】
リングを、オーリングとすることができる。比較的強度のある汎用品を使用することができるので、より確実に保護しつつ、衝突した場合でもより破損しにくく、また、より安価に製造することができる。
【００１６】
前面部の四隅の部分のうちの後面部と接する部分に、それぞれ、凸部を形成し、後面部の四隅の部分のうちの前面部と接する部分に、それぞれ、凸部と嵌合する凹部を形成することができる。四隅で凸部と凹部とが嵌合するので、衝突した場合でも前面部と後面部とがずれにくくなり、より確実に保護することができる。
【００１７】
凸部および凹部を、第１の溝および第２の溝と前後方向において重なる位置に形成することができる。この場合、凸部と凹部とが嵌合する向きにリングが四隅を締め付けるので、衝突した場合でも前面部と後面部とがさらにずれにくくなり、より確実に保護することができる。
【００１８】
本考案の一側面においては、通信端末装置の側面の前面側を囲う前面部のそれぞれの四隅に、それぞれの四隅において隣接する２つの側面に交差する向きの第１の溝が形成され、通信端末装置の側面の後面側を囲う後面部のそれぞれの四隅に、それぞれの四隅において隣接する２つの側面に交差する向きであって、前面部の第１の溝と前後方向において重なる位置に第２の溝が形成され、弾性を有するリングが、それぞれの四隅において、前面部の第１の溝および後面部の第２の溝に嵌められて、四隅をそれぞれ締め付ける。
【考案の効果】
【００１９】
以上のように、本考案の一側面によれば、装着した通信端末装置を保護することができる。
【００２０】
また、本考案の一側面によれば、より確実に保護しつつ、より容易に着脱可能とし、衝突した場合でもより破損しにくくできる。
【図面の簡単な説明】
【００２１】
【図１】携帯電話機１２に装着されているケース１１を示す図である。
【図２】ケース１１の正面の形状を示す斜視図である。
【図３】前面部３１の前面を示す斜視図である。
【図４】前面部３１の後面を示す斜視図である。
【図５】後面部３２の後面を示す斜視図である。
【図６】後面部３２の前面を示す斜視図である。
【図７】角部５１−１およびリング取り付け溝５２−１を拡大して示す拡大正面図である。
【図８】角部５１−１およびリング取り付け溝５２−１を拡大して示す拡大側面図である。
【図９】角部５１−１およびリング取り付け溝５２−１、並びにリング取り付け溝５２−１に嵌められたリング３３−１を拡大して示す拡大図である。
【考案を実施するための形態】
【００２２】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本考案の一側面のケースは、四角形の平板状の携帯用の通信端末装置の側面を囲う、外縁が四角形の平板状となるケース（例えば、図２のケース１１）であって、通信端末装置の側面の前面側を囲い、それぞれの四隅に、それぞれの四隅において隣接する２つの側面に交差する向きの第１の溝が形成されている前面部（例えば、図２の前面部３１）と、通信端末装置の側面の後面側を囲い、それぞれの四隅に、それぞれの四隅において隣接する２つの側面に交差する向きであって、前面部の第１の溝と前後方向において重なる位置に第２の溝が形成されている後面部（例えば、図２の後面部３２）と、弾性を有し、それぞれの四隅において、前面部の第１の溝および後面部の第２の溝に嵌められて、四隅をそれぞれ締め付けるリング（例えば、図２のリング３３−１乃至３３−４）とからなる。
【００２４】
以下、図１乃至図１１を参照して、本考案の一実施の形態に係るケース１１について説明する。図１は、携帯電話機１２に装着されているケース１１を示す図である。
【００２５】
なお、以下、各図に示すｘ−ｙ−ｚ直交座標系は、ｘ方向およびｙ方向が水平方向であり、このうちｘ方向は携帯電話機１２の幅方向であり、またケース１１の左右方向でもある。またｙ方向は携帯電話機１２の厚さ方向であり、またケース１１の奥行き方向でもある。更に、ｚ方向は携帯電話機１２の高さ方向であり、ケース１１の高さ方向でもある。また、以下、ｘ方向のうち、図１中の左側を単に左側と称し、ｘ方向のうち、図１中の右側を単に右側と称する。さらに、以下、ｙ方向のうち、図１中の手前側を単に前側と称し、ｙ方向のうち、図１中の奥側を単に後側（後方側）または背面側と称する。さらにまた、以下、ｚ方向のうち、図１中の上側を単に上側と称し、ｚ方向のうち、図１中の下側を単に下側または底側と称する。
【００２６】
ケース１１は、携帯電話機１２に装着し、携帯電話機１２を保護する。ケース１１は、四角形の平板状の携帯用の通信端末装置の一例である携帯電話機１２の側面を囲う。ケース１１は、外縁が四角形の平板状に形成されている。携帯電話機１２は、ケース１１が装着された状態で携帯される。なお、ケース１１は、一般に、カバー、ジャケット、またはバンパーなどとも称される。
【００２７】
携帯電話機１２は、通信端末装置の一例であり、携帯電話回線またはPHS（Personal Handy-phone System）回線などの無線電話回線を介して基地局と通信するか、WiMAX（Worldwide Interoperability for Microwave Access）などの短距離若しくは中長距離間の通信を行う移動体通信によりデータ通信するか、または無線LAN（Local Area Network）若しくはブルートゥースなどの近距離無線通信によりデータ通信する。
【００２８】
携帯電話機１２は、四角形の平板状に形成され、その前面に、液晶ディスプレイ（liquid crystal display（LCD））または有機EL（Electro-Luminescence）ディスプレイなどからなる表示部を備える。携帯電話機１２は、内蔵されているスピーカからの音を放音する放音孔を底面である側面に備える。
【００２９】
次に、ケース１１の外形について説明する。図２は、ケース１１の正面の形状を示す斜視図である。
【００３０】
ケース１１は、前面部３１および後面部３２からなる。前面部３１および後面部３２は、アルミニウム合金、ステンレススチール、若しくはチタニウム合金などの金属、アクリル、ポリカーボネート、若しくはシリコンなどを含む樹脂など、またはこれらを組み合わせた材料からなる。前面部３１および後面部３２は、切削加工、プレス加工、鍛造、若しくは射出成形などにより、またはこれらの加工を組み合わせて成形される。
【００３１】
リング３３−１乃至３３−４は、ニトリルゴム若しくはシリコンゴムなどの合成ゴムまたは天然ゴムなど弾性を有する材料からなり、円環状（輪ゴム状）に形成されている。リング３３−１乃至３３−４は、前面部３１および後面部３２の四隅に嵌められて、前面部３１および後面部３２の四隅を締め付ける。リング３３−１乃至３３−４の全てが同時に切れることは殆どない。リング３３−１乃至３３−４が、それぞれ、四隅に嵌められているので、リング３３−１乃至３３−４の破損が原因で、ケース１１が携帯電話機１２から外れてしまうことはない。従って、携帯電話機１２をより確実に保護できる。より好ましくは、リング３３−１乃至３３−４として、比較的強度のある汎用品であるオーリング（O-ring）を採用できる。リング３３−１乃至３３−４として、オーリングを採用すると、リング３３−１乃至３３−４が破損したり、リング３３−１乃至３３−４を紛失したりした場合、代替のリング３３−１乃至３３−４を、いわゆるホームセンターなどの日用雑貨、工具や住宅設備の部品などを販売する小売店で容易に入手することができる。
【００３２】
ケース１１が携帯電話機１２に装着されると、前面部３１は、携帯電話機１２の前面の縁の部分（以下、縁部と称する。）および側面の前側を覆い、後面部３２は、携帯電話機１２の後面の縁の部分および側面の後側を覆い、前面部３１と後面部３２とは、携帯電話機１２の側面において密着させられる。これにより、ケース１１は、携帯電話機１２の側面に設けられたボタン等を押圧したり、接続用の端子にケーブルを接続したりするために必要なくり抜き部分を除き、携帯電話機１２の側面の全周を囲う。このように、ケース１１は、携帯電話機１２の側面を囲う。より詳細に説明すると、ケース１１は、携帯電話機１２の前面および後面の縁部を囲う。また、ケース１１は、携帯電話機１２の側面の縁部を囲う。すなわち、ケース１１は、携帯電話機１２の前面の縁部の全周および後面の縁部の全周を囲う。また、ケース１１は、携帯電話機１２の側面の前側の縁部の全周および側面の後側の縁部の全周を囲う。
【００３３】
前面部３１および後面部３２の四隅のそれぞれの角の端部には、角部５１−１乃至５１−４が形成されている。すなわち、角部５１−１、角部５１−２、角部５１−３、および角部５１−４は、それぞれ、右上側の隅、右下側の隅、左下側の隅、左上側の隅に形成されている。角部５１−１乃至５１−４には、それぞれの角で隣接する２つの側面に４５度で交差する向きの面が形成されている。
【００３４】
リング取り付け溝５２−１乃至５２−４は、前面部３１および後面部３２の四隅のそれぞれの角に形成されている。すなわち、リング取り付け溝５２−１、リング取り付け溝５２−２、リング取り付け溝５２−３、およびリング取り付け溝５２−４は、それぞれ、右上側の隅、右下側の隅、左下側の隅、左上側の隅に形成されている。リング取り付け溝５２−１乃至５２−４は、それぞれ、角の端部に形成されている角部５１−１乃至５１−４のそれぞれに対して、四隅の内側（奥側）に形成されている。リング取り付け溝５２−１乃至５２−４は、それぞれ、嵌められたリング３３−１乃至３３−４がずれないように、リング３３−１乃至３３−４の太さに応じた幅および深さに形成され、前面、側面および後面を一周する形状とされている。より具体的には、リング取り付け溝５２−１乃至５２−４のそれぞれの周長は、リング３３−１乃至３３−４のそれぞれの内径より若干長くされる。また、リング取り付け溝５２−１乃至５２−４のそれぞれの幅は、リング３３−１乃至３３−４のそれぞれの太さとほぼ同じとされる。リング取り付け溝５２−１乃至５２−４の深さの詳細については、後述する。
【００３５】
また、リング取り付け溝５２−１乃至５２−４は、前面部３１および後面部３２の四隅のそれぞれの角に、隣接する２つの側面に４５度で交差する向きに形成されている。言い換えれば、リング取り付け溝５２−１乃至５２−４の部分のうち、前面および後面の部分は、側面に対して４５度で交差する向きに形成されている。
【００３６】
角部５１−１乃至５１−４には、それぞれの角で隣接する２つの側面に４５度で交差する向きの面が形成されているので、角部５１−１乃至５１−４の面は、それぞれ、リング取り付け溝５２−１乃至５２−４のそれぞれを通る平面と平行になる。すなわち、前面部３１および後面部３２の四隅のそれぞれの角には、リング取り付け溝５２−１乃至５２−４を通る平面に平行な面が形成されている。
【００３７】
また、ケース１１には、支持部５３並びに開口部５４−１および５４−２が形成されている。支持部５３は、携帯電話機１２の側面のうち、短手方向の側面から長手方向の側面に曲がる角に設けられ、短手方向の側面に突出した略半円状に形成されている。支持部５３の内側には、ペン差し穴が形成されている。
【００３８】
表示部の表示面と交差する方向に貫通するペン差し穴が、携帯電話機１２の四角形の表示部の頂点の近傍に設けられているので、携帯電話機１２にケース１１が装着されていても、携帯電話機１２の幅が広がることがなく、ユーザは、携帯電話機１２だけの場合と同様に携帯電話機１２の側面を把持することができ、ケース１１を携帯電話機１２に装着したままでも携帯性を阻害することがない。
【００３９】
鉛筆、ボールペン、万年筆などの棒状の筆記用具の一端を、携帯電話機１２が装着されているケース１１のペン差し穴に挿入して、係止した状態で、ケース１１の側面のいずれかおよび筆記用具の他端で支えるように、携帯電話機１２をテーブルの上面（水平面）に置くと、より簡単に、表示部の表示面がユーザを向いた状態を維持することができる。この際、ユーザは、通信端末装置を支える必要がない。
【００４０】
開口部５４−１および５４−２は、それぞれ、携帯電話機１２の前面側に設けられ、溝状の形成されている音溝５５と携帯電話機１２の側面とから形成される空洞を通じて伝達される携帯電話機１２からの音を放音する。開口部５４−１および５４−２は、支持部５３の近傍の頂点とは異なる、表示部の頂点の近傍に設けられている。このようにすることで、ケース１１の構造物が偏ってしまうことを防止でき、ケース１１の重心を携帯電話機１２の重心により近づけることができ、携帯電話機１２の持ちやすさを阻害しない。また、支持部５３に対して開口部５４−１および５４−２が対向する位置に配置されるので、より安定して、携帯電話機１２をテーブルの上面（水平面）に置くことができる。
【００４１】
次に、前面部３１および後面部３２を説明する。図３は、前面部３１の前面を示す斜視図である。図４は、前面部３１の後面（携帯電話機１２と接する面）を示す斜視図である。図５は、後面部３２の後面を示す斜視図である。図６は、後面部３２の前面（携帯電話機１２と接する面）を示す斜視図である。
【００４２】
図３および図４に示されるように、前面部３１の前面側は、携帯電話機１２の前面に設けられている表示部、カメラ、通話用スピーカの放音孔、操作用のボタンなどを露出させる形状にくり抜かれている。開口部５４−１は、前面部３１に、縦長の表示部の表示面より上側であって、携帯電話機１２の前面の筐体を覆うように複数の孔として形成されている。開口部５１−２は、前面部３１に、縦長の表示部の表示面より下側であって、携帯電話機１２の前面の筐体を覆うように複数の孔として形成されている。
【００４３】
前面部３１の四隅のそれぞれの角の端部には、前角部７１−１乃至７１−４が形成されている。すなわち、前角部７１−１、前角部７１−２、前角部７１−３、および前角部７１−４は、それぞれ、前面部３１の、右上側の隅、右下側の隅、左下側の隅、左上側の隅に形成されている。前角部７１−１乃至７１−４には、それぞれの角で隣接する２つの側面に４５度で交差する向きの面が形成されている。
【００４４】
溝７２−１乃至７２−４は、それぞれ、角の端部に形成されている前角部７１−１乃至７１−４のそれぞれに対して、前面部３１の四隅のそれぞれの内側（奥側）であって、前面側に形成されている。すなわち、溝７２−１、溝７２−２、溝７２−３、および溝７２−４は、それぞれ、右上側の隅、右下側の隅、左下側の隅、左上側の隅に形成されている。溝７２−１乃至７２−４は、それぞれ、半円の円弧状に前面および側面を半周する形状とされている。
【００４５】
凸部７３−１乃至７３−４は、前面部３１の四隅のそれぞれの角の後面側に形成されている。凸部７３−１乃至７３−４は、それぞれ、四角柱形状の突起である。凸部７３−１乃至７３−４は、それぞれ、溝７２−１乃至７２−４のそれぞれと前後方向において重なる位置に形成されている。
【００４６】
図５および図６に示されるように、支持部５３は、後面部３２の上側の左端部に、上側に突出した略半円状に形成されている。支持部５３の内側には、ペン差し穴が形成されている。
【００４７】
後面部３２の四隅のそれぞれの角の端部には、後角部９１−１乃至９１−４が形成されている。すなわち、後角部９１−１、後角部９１−２、後角部９１−３、および後角部９１−４は、それぞれ、後面部３２の、右上側の隅、右下側の隅、左下側の隅、左上側の隅に形成されている。後角部９１−１乃至９１−４には、それぞれの角で隣接する２つの側面に４５度で交差する向きの面が形成されている。
【００４８】
溝９２−１乃至９２−４は、それぞれ、角の端部に形成されている後角部９１−１乃至９１−４のそれぞれに対して、後面部３２の四隅のそれぞれの内側（奥側）であって、後面側に形成されている。すなわち、溝９２−１、溝９２−２、溝９２−３、および溝９２−４は、それぞれ、右上側の隅、右下側の隅、左下側の隅、左上側の隅に形成されている。溝９２−１乃至９２−４は、それぞれ、半円の円弧状に後面および側面を半周する形状とされている。
【００４９】
凹部９３−１乃至９３−４は、後面部３２の四隅のそれぞれの角の前面側に形成されている。凹部９３−１乃至９３−４は、それぞれ、四角柱形状の窪みである。すなわち、凹部９３−１乃至９３−４は、それぞれ、凸部７３−１乃至７３−４と嵌合する形状に形成されている。凹部９３−１乃至９３−４は、それぞれ、溝９２−１乃至９２−４のそれぞれと前後方向において重なる位置に形成されている。
【００５０】
前面部３１が携帯電話機１２の前面側に被せられ、後面部３２が携帯電話機１２の後面側に被せられたとき、溝７２−１乃至７２−４のそれぞれと溝９２−１乃至９２−４のそれぞれとは、１つの円弧状の溝であるリング取り付け溝５２−１乃至５２−４をそれぞれ形成する。
【００５１】
このとき、前角部７１−１乃至７１−４のそれぞれと後角部９１−１乃至９１−４のそれぞれとは、一体になり、角部５１−１乃至５１−４のそれぞれを形成する。
【００５２】
また、このとき、凸部７３−１乃至７３−４のそれぞれは、凹部９３−１乃至９３−４のそれぞれに嵌合する。これにより、前面部３１と後面部３２とがより適切に相互に位置決めされ、前面部３１と後面部３２とのずれが防止される。
【００５３】
次に、角部５１−１およびリング取り付け溝５２−１の形状、並びにリング取り付け溝５２−１に嵌められたリング３３−１について、より詳細に説明する。
【００５４】
図７は、角部５１−１およびリング取り付け溝５２−１を拡大して示す拡大正面図である。図８は、斜め上方向の視線で見る角部５１−１およびリング取り付け溝５２−１を拡大して示す拡大側面図である。図９は、角部５１−１の面に対して鉛直方向の視線で見る、角部５１−１およびリング取り付け溝５２−１、並びにリング取り付け溝５２−１に嵌められたリング３３−１を拡大して示す拡大図である。
【００５５】
図７に示されるように、リング取り付け溝５２−１の部分のうち、側面側の部分の深さａは、リング３３−１の太さ、すなわち、リング３３−１の太さの径より深く形成されている。従って、図９に示されるように、ケース１１の側面において、リング取り付け溝５２−１に嵌められたリング３３−１は、リング取り付け溝５２−１に深く入り込み、側面側においてリング３３−１がリング取り付け溝５２−１に深く嵌ることになるので、落下された衝撃などが加わっても、リング３３−１が、リング取り付け溝５２−１からより外れにくくなる。
【００５６】
図８に示されるように、リング取り付け溝５２−１の部分のうち、前面側および後面側の部分の深さｂは、リング３３−１の太さ、すなわち、リング３３−１の径より浅く形成されている。従って、図９に示されるように、ケース１１の前面側および後面側において、リング取り付け溝５２−１に嵌められたリング３３−１の側面は、リング取り付け溝５２−１から突出することになる。このようにすることで、リング取り付け溝５２−１の前面側および後面側から突出したリング３３−１の部分に爪がかけ易くなり、より容易にリングを取り外すことができる。さらに、ケース１１が装着された携帯電話機１２を机などの上面に置いた場合、前面側の面および後面側の面からリング３３−１の部分が前側または後側に突出するので、携帯電話機１２の表示部や前面部３１または後面部３２が直接机などの上面に接触することがなく、携帯電話機１２の表示部やケース１１への傷つきを防止できる。また、机などの上面への傷付も防止できる。
【００５７】
図７および図９に示されるように、角部５１−１には、隣接する２つの側面に４５度で交差する向きの面が形成されている。角部５１−１の面は、リング取り付け溝５２−１乃至５２−４を通る平面に平行になる。このようにすることで、ユーザは、角部５１−１の面に指をかけて、リング３３−１を角部５１−１の面に沿わせて滑らせながら、リング取り付け溝５２−１にリング３３−１を嵌めることができる。また、ケース１１の前面側および後面側にリング取り付け溝５２−１から突出したリング３３−１の部分に爪をかけるか、またはその部分を指の腹で擦ることにより、リング３３−１を角部５１−１の面に沿わせて滑らせながら、リング取り付け溝５２−１からリング３３−１を外すことができる。
【００５８】
角部５１−２乃至５１−４およびリング取り付け溝５２−２乃至５２−４の形状、並びにリング取り付け溝５２−２乃至５２−４のそれぞれに嵌められたリング３３−２乃至３３−４は、角部５１−１およびリング取り付け溝５２−１の形状、並びにリング取り付け溝５２−１に嵌められたリング３３−１と同様なので、その詳細な説明は省略する。
【００５９】
以上のように、ケース１１は、四角形の平板状の携帯用の携帯電話機１２の側面を囲う、外縁が四角形の平板状となる。前面部３１は、携帯電話機１２の側面の前面側を囲う。前面部３１のそれぞれの四隅には、それぞれの四隅において隣接する２つの側面に交差する向きの溝７２−１乃至７２−４が形成されている。後面部３２は、携帯電話機１２の側面の後面側を囲う。後面部３２のそれぞれの四隅には、それぞれの四隅において隣接する２つの側面に交差する向きであって、前面部３１の溝７２−１乃至７２−４と前後方向において重なる位置に溝９２−１乃至９２−４が形成されている。リング３３−１乃至３３−４は、弾性を有し、それぞれの四隅において、前面部３１の溝７２−１乃至７２−４および後面部３２の溝９２−１乃至９２−４に嵌められて、四隅をそれぞれ締め付ける。
【００６０】
それぞれの四隅に形成されている溝７２−１乃至７２−４および溝９２−１乃至９２−４に、弾性を有するリング３３−１乃至３３−４が嵌められて、締め付けられるので、落として床などに衝突した場合でも、衝撃で溝７２−１乃至７２−４および溝９２−１乃至９２−４からリング３３−１乃至３３−４が外れることがない。また、リング３３−１乃至３３−４を簡単に取り付けし、取り外しできるので、携帯電話機１２にケース１１をより容易に着脱できる。さらに、簡単な構成で強度を保つことができ、また、リング３３−１乃至３３−４が弾性を有するので、衝撃をある程度吸収し、衝突した場合でもより破損しにくくできる。
【００６１】
それぞれの四隅において、溝７２−１乃至７２−４および溝９２−１乃至９２−４を、前面部３１が携帯電話機１２の前面に装着され、後面部３２が携帯電話機１２の後面に装着されたとき、１つの円環状の溝となるようにすることができる。これにより、衝撃で溝７２−１乃至７２−４および溝９２−１乃至９２−４からリング３３−１乃至３３−４がより外れにくくなる。
【００６２】
溝７２−１乃至７２−４および溝９２−１乃至９２−４を、前面側および後面側において、リング３３−１乃至３３−４の太さより浅く形成し、側面側において、リング３３−１乃至３３−４の太さより深く形成することができる。このようにすることで、前面側および後面側のリングの部分に爪がかけ易くなり、より容易にリングを取り外すことができる。また、側面側においてリングが深く嵌ることになるので、衝撃で溝７２−１乃至７２−４および溝９２−１乃至９２−４からリング３３−１乃至３３−４がより外れにくくなる。さらに、前面側の面および後面側の面からリング３３−１乃至３３−４の部分が前側または後側に突出するので、机などの上面に置いた場合、携帯電話機１２の表示部やケース１１への傷つきを防止できる。また、リング３３−１乃至３３−４は、滑り止めとなり、衝撃を吸収する緩衝（クッション）機能を有すると言える。
【００６３】
それぞれの四隅において、溝７２−１乃至７２−４および溝９２−１乃至９２−４を、隣接する２つの側面に４５度で交差する向きに形成することができる。この場合、より均等に四隅のそれぞれを締め付けることができる。
【００６４】
また、前面部３１および後面部３２の四隅のそれぞれの角には、溝７２−１乃至７２−４および溝９２−１乃至９２−４を通る平面に平行な面を形成することができる。このようにすることで、四隅のいずれかの面に指をかけて、リング３３−１乃至３３−４を四隅のいずれかの面に沿わせて滑らせながら、溝７２−１乃至７２−４および溝９２−１乃至９２−４にリング３３−１乃至３３−４を着脱できるので、より容易に着脱可能となる。
【００６５】
リング３３−１乃至３３−４を、オーリングとすることができる。比較的強度のある汎用品を使用することができるので、より確実に保護しつつ、衝突した場合でもより破損しにくく、より安価に製造することができる。
【００６６】
前面部３１の四隅の部分のうちの後面部３２と接する部分に、それぞれ、凸部７３−１乃至７３−４を形成し、後面部３２の四隅の部分のうちの前面部３１と接する部分に、それぞれ、凸部７３−１乃至７３−４と嵌合する凹部９３−１乃至９３−４を形成することができる。四隅で凸部７３−１乃至７３−４と凹部９３−１乃至９３−４とが嵌合するので、衝突した場合でも前面部３１と後面部３２とがずれにくくなり、より確実に保護することができる。
【００６７】
また、凸部７３−１乃至７３−４および凹部９３−１乃至９３−４を、溝７２−１乃至７２−４および溝９２−１乃至９２−４と前後方向において重なる位置に形成することができる。この場合、凸部７３−１乃至７３−４と凹部９３−１乃至９３−４とが嵌合する向きにリング３３−１乃至３３−４が四隅を締め付けるので、衝突した場合でも前面部３１と後面部３２とがさらにずれにくくなり、より確実に保護することができる。
【００６８】
このように、携帯電話機１２の側面の前面側を囲い、それぞれの四隅に、それぞれの四隅において隣接する２つの側面に交差する向きの溝７２−１乃至７２−４が形成されている前面部３１と、携帯電話機１２の側面の後面側を囲い、それぞれの四隅に、それぞれの四隅において隣接する２つの側面に交差する向きであって、前面部の溝７２−１乃至７２−４と前後方向において重なる位置に溝９２−１乃至９２−４が形成されている後面部３２と、弾性を有し、それぞれの四隅において、前面部３１の溝７２−１乃至７２−４および後面部３２の溝９２−１乃至９２−４に嵌められて、四隅をそれぞれ締め付けるリング３３−１乃至３３−４とからケース１１を構成した場合には、より確実に保護しつつ、より容易に着脱可能とし、衝突した場合でもより破損しにくくできる。
【００６９】
なお、凸部７３−１乃至７３−４および凹部９３−１乃至９３−４は、四角柱形状と説明したが、嵌合する形状であれば足り、円柱形状、角錐形状、または半円形状などとすることができる。
【００７０】
また、ケース１１は、携帯電話機１２に装着すると説明したが、四角形の平板状の携帯型の通信端末装置であれば良く、例えば、携帯型ゲーム機、タブレット型端末装置、または携帯型音楽プレーヤなどの通信端末装置に装着することもできる。
【００７１】
なお、本考案の実施の形態は、上述した実施の形態に限定されるものではなく、本考案の要旨を逸脱しない範囲において種々の変更が可能である。
【符号の説明】
【００７２】
１１  ケース，  ３１  前面部，  ３２  後面部，  ３３−１乃至３３−４  リング，  ５１−１乃至５１−４  角部，  ５２−１乃至５２−４  リング取り付け溝，  ５３  支持部，  ５４−１および５４−２  開口部，  ５５  音溝，  ７１−１乃至７１−４  前角部，  ７２−１乃至７２−４  溝，  ７３−１乃至７３−４  凸部，  ９１−１乃至９１−４  後角部，  ９２−１乃至９２−４  溝，  ９３−１乃至９３−４  凹部
【図１】
0003196357.tif 000003
【図２】
0003196357.tif 000004
【図３】
0003196357.tif 000005
【図４】
0003196357.tif 000006
【図５】
0003196357.tif 000007
【図６】
0003196357.tif 000008
【図７】
0003196357.tif 000009
【図８】
0003196357.tif 000010
【図９】
0003196357.tif 000011